(57)【要約】【課題】機器本体内の作業の際に、作業者が移動することなく表示パネルを見ることができ、しかも作業者が機器本体の内部構造に必要以上に触れることのないようにする。【解決手段】複数の外壁面を有する機器本体と、前記複数の外壁面のうち少なくとも２つの面に設けられた施錠可能の扉と、前記扉が設けられた所望の外壁面に着脱又は回転移動可能な表示パネルとを備える。そして、前記表示パネルが、前記扉が設けられた所望の外壁面に装着又は回転移動されることによって、前記表示パネルが装着又は回転移動された外装面の扉が解錠される。【選択図】図２
2015074105.tif 000002
【特許請求の範囲】
【請求項１】
複数の外壁面を有する機器本体と、前記複数の外壁面のうち少なくとも２つの面に設けられた施錠可能の扉と、前記扉が設けられた所望の外壁面に着脱又は回転移動可能な表示パネルとを備え、
前記表示パネルが、前記扉が設けられた所望の外壁面に装着又は回転移動されることによって、前記表示パネルが装着又は回転移動された外装面の扉が解錠されることを特徴とする電子機器。
【請求項２】
前記表示パネルが所望の外壁面に装着又は回転移動されることによって動作する機械的機構を備え、前記機械的機構によって前記所望の外壁面の扉が解錠される請求項１記載の電子機器。
【請求項３】
前記表示パネルの所望の外壁面に装着又は回転移動したことを検知する検知手段をさらに備え、前記検知手段からの検知信号によって前記所望の外壁面の扉が解錠される請求項１記載の電子機器。
【請求項４】
前記表示パネルが所望の外壁面に装着又は回転移動した後、所定の操作をすることによって前記扉が解錠される請求項１記載の電子機器。
【請求項５】
前記表示パネルが位置しない外壁面の扉が開状態から閉状態にされると前記扉が施錠される請求項１〜４のいずれかに記載の電子機器。
【発明の詳細な説明】
【技術分野】
【０００１】
本発明は電子機器に関し、より詳細には、画像形成装置などの表示パネルと複数の扉とを有する電子機器に関するものである。
【背景技術】
【０００２】
例えば画像形成装置において、トナーカートリッジの交換や紙詰まりの処理などの作業を作業者が行う場合、通常、表示パネルや紙媒体、ラベルなどに表示された手順に従って作業が行われる。
【０００３】
ところが、表示パネルに作業手順が表示される場合、作業している体勢から表示パネルを見ることができないことがある。このようなとき、作業者は立ち上がったり移動したりすることによって表示パネルを見に行かねばならず、作業者にとって煩わしく作業効率の低下を招いていた。
【０００４】
そこで、例えば、特許文献１には、いわゆるマルチビュー液晶を表示部に採用して、作業に対応した異なるガイダンスを所定の視野角ごとに表示する画像形成装置が提案されている。また、特許文献２には、ファクシミリやコピーなどの異なる機能がそれぞれ割り当てられた複数の操作面を有する操作部を回転可能として、所望の機能が割り当てられた操作面を例えば上向きにすることで、当該機能が選択され発揮される画像形成装置が提案されている。
【先行技術文献】
【特許文献】
【０００５】
【特許文献１】特開2009-229731号公報
【特許文献２】特開2007-326343号公報
【発明の概要】
【発明が解決しようとする課題】
【０００６】
しかしながら、特許文献１に提案の装置では、マルチビュー液晶表示部は装置本体の正面側にのみ設けられているので、側面側や上面側で作業する場合には、従来と同様に、表示部を見るために作業者は移動する必要がある。また、特許文献２の提案装置でも、表示部を見るために作業者が移動する必要がある場合がある。加えて、どちらの提案装置でも、本来操作する必要のない部分を操作するなどの作業ミスを犯す可能性がある。
【０００７】
本発明はこのような従来の問題に鑑みてなされたものであり、機器本体内などの作業の際に、作業者が移動することなく表示パネルを見ることができ、しかも作業者が、機器本体の内部構造に必要以上に触れることのない電子機器を提供することにある。
【課題を解決するための手段】
【０００８】
本発明によれば、複数の外壁面を有する機器本体と、前記複数の外壁面のうち少なくとも２つの面に設けられた施錠可能の扉と、前記扉が設けられた所望の外壁面に着脱又は回転移動可能な表示パネルとを備え、前記表示パネルが、前記扉が設けられた所望の外壁面に装着又は回転移動されることによって、前記表示パネルが装着又は回転移動された外装面の扉が解錠されることを特徴とする電子機器が提供される。
【０００９】
また、前記表示パネルが所望の外壁面に装着又は回転移動されることによって動作する機械的機構を設け、前記機械的機構によって前記所望の外壁面の扉が解錠されるようにしてもよい。
【００１０】
そしてまた、前記表示パネルの所望の外壁面に装着又は回転移動したことを検知する検知手段をさらに設け、前記検知手段からの検知信号によって前記所望の外壁面の扉が解錠されるようにしてもよい。
【００１１】
前記表示パネルが所望の外壁面に装着又は回転移動した後、所定の操作をすることによって前記扉が解錠されるようにしてもよい。
【００１２】
さらに、前記表示パネルが位置しない外壁面の扉が開状態から閉状態にされると前記扉が施錠されるようにしてもよい。
【発明の効果】
【００１３】
本発明の電子機器では、表示パネルが、扉が設けられた所望の外壁面に装着又は回転移動されるので、機器本体内などの作業の際に、作業者が移動することなく表示パネルを見ることができる。また、表示パネルが装着又は回転移動された外装面の扉のみが解錠されるので、作業者が誤って必要のない扉を開けて機器本体の内部構造に触れることがない。
【図面の簡単な説明】
【００１４】
【図１】本発明に係る電子機器の一例を示す斜視図である。
【図２】図１の電子機器の解錠機構を示す斜視図である。
【図３】解錠機構の他の例を示す斜視図である。
【図４】解錠機構のさらに他の例を示す斜視図である。
【図５】図４の部分拡大図である。
【図６】本発明に係る電子機器の他の例を示す斜視図である。
【図７】図６の電子機器の解錠機構を示す図である。
【図８】解錠機構の他の例を示す斜視図である。
【図９】本発明に係る電子機器の制御例を示すフローチャートである。
【発明を実施するための形態】
【００１５】
以下、本発明に係る電子機器について図に基づいてさらに詳しく説明するが本発明はこれらの実施形態に何ら限定されるものではない。
【００１６】
図１に、本発明に係る電子機器の一例を示す斜視図を示す。図１に示す電子機器は電子写真方式のプリンターであって、立方体状の機器本体１と、機器本体１の一つの角部に回転自在に設けられた三角錐状の操作部２とを有し、操作部２には表示パネル２１が設けられている。
【００１７】
機器本体１内には、従来公知の電子写真式の画像形成部が内蔵されており、外部から送信されてきた画像信号によってトナー像が形成され、給紙トレイ１９から給紙された用紙Ｐにトナー像が転写された後、定着部（不図示）で加熱及び加圧されてトナー像が用紙Ｐに溶融定着され、機器本体１の上面に形成された排紙トレイ１８に排出される。
【００１８】
機器本体１の正面壁１１、側壁１２、上壁１３にはそれぞれ施錠可能な扉１１１，１２１，１３１が設けられており、例えば、正面壁１１の扉１１１はトナーボトルの交換等の際に開閉され、側壁１２の扉１２１は搬送路における紙詰まり処理の際に開閉され、上壁１３の扉１３１は定着部における紙詰まりなどの際に開閉される。これらの扉は通常は施錠されている。扉を解錠して開ける場合は、操作部２を回動させて、操作部２の表示パネル２１を、開けたい扉がある外側壁に位置させる。
【００１９】
例えば、トナーボトルの交換のために扉１１１を開ける場合には、操作部２を回動させて図１（ｂ）の位置とする。操作部２が図１（ｂ）の位置となることによって、扉１１１は解錠されて開くことができるようになる。このとき、作業者は作業姿勢のままで（正面から）表示パネル２１を見ることができる。表示パネル２１には、トナーボトルを交換するための作業手順が文字や画像などで表示される。作業者は表示パネル２１に表示される手順に従って作業すればよく、作業効率が向上すると同時に誤作業を防止できる。加えて、作業に必要な扉以外は施錠させたままであり、開くことができないので作業者が誤って扉を開けるおそれがない。
【００２０】
同様にして、定着部における紙詰まりを処理する場合は、操作部２を図１（ａ）に示す状態として扉１３１を解錠する。また、搬送路における紙詰まりを処理する場合は、操作部２を図１（ｃ）に示す状態とし扉１２１を解錠する。そして、扉１２１，１３１を開けて表示パネル２１に表示される手順に従って作業をする。
【００２１】
図２に、操作部２の回転による扉１３１の解錠機構の一例を示す。略三角錐状の操作部２は機器本体１に対して反時計回りに回転自在である。操作部２には、駆動用ギア２２が内蔵されている。一方、機器本体１には、正面壁１１、側壁１２、上壁１３（図１に図示）のそれぞれに対応してそれぞれ、回転軸３１と、回転軸３１の端部に取り付けられた解錠用ギア３２と、回転軸３１の所定位置に設けられた係止レバー３３とが備えられている。扉１３１には係止レバー３３と係合する開口部１３２が形成されており、通常は、係止レバー３３が開口部１３２に係合して、扉１３１は施錠されている。
【００２２】
図２は、図１（ｃ）に示す状態から図１（ａ）に示す状態に操作部２が回転した場合であって、操作部２の回転に伴って駆動用ギア２２が解除用ギア３２と歯合して解錠用ギア３２が回転する。解錠用ギア３２の回転によって回転軸３１が回転し、係止レバー３３が開口部１３２から外れて扉１３１が解錠される。扉１１１及び扉１２１の解錠も同様の機構によって行われる。
【００２３】
このとき、センサー（不図示）によって表示パネル２１の向きが検知され、表示パネル２１に、扉を開けて作業すべき手順等が表示される。また、表示パネル２１の位置していない外壁面の扉は開状態から閉状態とすることにより施錠される。
【００２４】
また、表示パネル２１の向きを検知するセンサー（不図示）からの検知信号によって、扉の解錠を行うようにしてもよい。図３に、このような解錠機構の一例を示す斜視図を示す。図３に示す解錠機構は、ソレノイド９と、略Ｌ字状の係止レバー７とを備え、係止レバー７の一方端は、ソレノイド本体９１に対して出入自在のロッド９２に取り付けられ、他方端は爪部７１を有し、扉８に形成された開口部８１に係合可能とされている。通常状態では、係止レバー７の爪部７１が扉８の開口部８１に係合し、扉８は閉状態で施錠されている。センサー（不図示）からの検知信号によってソレノイド９が作動すると、ロッド９２がソレノイド本体９１内に引き込まれ、係止レバー７は軸７２を中心として回動し、爪部７１と開口部８１との係合が解消され扉８は解錠される。
【００２５】
図４及び図５に、扉のさらに他の解錠機構を示す斜視図を示す。操作部２の表示パネル２１が設けられている面と同じ面に開口２３が形成されている。そして、操作部２内の正面壁１１、側壁１２、上壁１３（図１に図示）のそれぞれには、開口２３に対応する位置に、付勢手段としてのバネ（図５に図示）６１によって外側方向に常に付勢された、円柱状で先端が半球状のトリガーレバー６が設けられている。
【００２６】
操作部２の回転によって表示パネル２１が所望の面に位置すると、操作部２の開口２３がトリガーレバー６の先端と対向する位置となり、トリガーレバー６は開口２３から外側に突出する。このトリガーレバー６の突出移動によって、図３で示したような、扉８に形成された開口部８１と爪部７１との係合状態が解消され、表示パネル２１が位置する面の扉８が解錠される。次に、操作部２が回転して、表示パネル２１が他の面に移動すると、操作部２の回転によって開口２３の周壁がトリガーレバー６の半球状の先端に接触し、トリガーレバー６は操作部２の内側に没する。トリガーレバー６が操作部２内に没した状態で、扉を開状態から閉状態にすると、図３に示したように、扉８に形成された開口部８１と爪部７１とが係合し扉８は施錠される。
【００２７】
次に、操作部が機器本体に対して着脱自在で、操作部が機器本体に装着されることによって、扉が解錠される形態例について説明する。図６に示す電子機器は、立方体形状の機器本体１ａを有し、機器本体１ａの正面壁１１、側壁１２、上壁１３にはそれぞれ操作部２ａが装着可能な凹部１４，１５，１６が設けられている。そして、操作部２ａが機器本体１ａに装着されることによって、操作部２ａが装着された面の扉が解錠される。
【００２８】
図７に扉の解錠機構例を示す。図７（ａ）は上面図、同図（ｂ）は正面図、同図（ｃ）は側面図である。図７に示す解錠機構は３つの回動軸５１，５２，５３を有する。回動軸５１には、当接板５１１と連結板５１２とが軸方向に所定距離隔てて設けられている。回動軸５２には、連結板５２１と連結板５２２とが周方向対向位置に設けられている。回動軸５３には、連結板５３１と係止爪５３２とが軸方向に所定距離隔てて設けられている。そして、連結板５１２と連結板５２１とが接触し、連結板５２２と連結板５３１とが接触し、係止爪５３２は扉８に形成された係止片８２に係合している。
【００２９】
所望の面に形成された凹部に操作部２ａが装着されると、操作部２ａが当接板５１１に接触し、当接板５１１は凹部の奥方向に押し込まれる。これにより、回転軸５１が回転し同時に連結板５１２と連結板５２１とを介して回転軸５２が回転する。そして、回転軸５２が回転すると、連結板５２２と連結板５３１とを介して回転軸５３が回転し、係止爪５３２と係合片８２との係合が解消され、扉８は解錠される。
【００３０】
一方、操作部２ａを凹部から取り外すと、不図示の付勢手段によって、扉８が解錠されたときと逆方向の回転力が回転軸５１，５２，５３に働き、扉８が開状態から閉状態にされると係止爪５３２と係合片８２とが係合し施錠される。
【００３１】
図８に、扉８の解錠機構の他の例を示す。図８に示す電子機器は、操作部２ａが機器本体１ａに対して着脱自在である点は前記実施形態と同様であるが、操作部２ａを機器本体１ａに装着した後、操作部２ａの傾斜角度を変えることによって扉８の解錠が行われる。操作部２ａが機器本体１ａに装着されると、操作部２ａに設けられたギア２４と機器本体１ａに設けられたギア８５とが歯合する。ギア８５にはラック８６が歯合している。このラック８６が、扉８の上面に形成された係合穴８３に係入することによって扉８が施錠されている。
【００３２】
扉８を解錠する場合には、機器本体１ａに操作部２ａを装着した後、操作部２ａの傾斜角度を変える。すると、操作部２ａに取り付けられたギア２４が回転し、さらにギア８５が回転してラック８６が係合穴８３から引き出される。これにより扉８は解錠され、軸８４を中心として開閉可能となる。扉８を施錠する場合は、扉８を閉状態としてラック８６と係合穴８３との位置を合わせた後、操作部２ａの傾斜角度を変えて、ラック８６を係合穴８３に係入させる。
【００３３】
図９に、以上説明した電子機器の操作部の移動とこれに連動する扉の解錠の制御例を示すフローチャートを示す。図９に示すフローチャートは、用紙搬送路における紙詰まり処理の場合のフローチャートである。
【００３４】
用紙搬送路での紙詰まりが検知されると（ステップＳ１０１）、表示パネルに、例えば「ＪＡＭしました。側壁側に表示パネルを移転してください。」といった表示がなされる（ステップＳ１０２）。操作部（表示パネル）が側壁側に移動されると（ステップＳ１０３）、側壁の扉が解錠される（ステップＳ１０４）。そして、表示パネルに、詰まった用紙の取り除き作業の手順が図付きで表示される（ステップＳ１０５）。作業者は表示パネルに表示される手順で所定の作業を行う。作業が終了し扉が閉状態になると（ステップＳ１０６）、扉が施錠され（ステップＳ１０７）、表示パネルは通常の表示となる（ステップＳ１０８）。
【産業上の利用可能性】
【００３５】
本発明の電子機器では、表示パネルが、扉が設けられた所望の外壁面に装着又は回転移動されるので、機器本体内などの作業の際に、作業者が移動することなく表示パネルを見ることができる。また、表示パネルが装着又は回転移動された外装面の扉のみが解錠されるので、作業者が誤って必要のない扉を開けて機器本体の内部構造に触れることがなく有用である。
【符号の説明】
【００３６】
１    機器本体
２    操作部
８    扉
２１    表示パネル
１１１    扉
１２１    扉
１３１    扉
【図１】
2015074105.tif 000003
【図２】
2015074105.tif 000004
【図３】
2015074105.tif 000005
【図４】
2015074105.tif 000006
【図５】
2015074105.tif 000007
【図６】
2015074105.tif 000008
【図７】
2015074105.tif 000009
【図８】
2015074105.tif 000010
【図９】
2015074105.tif 000011